【事件の表示】
　昭和６３年特許願第　　４９８９号「自動演奏記録再生装置」拒絶査定に対する審判事件［平成　１年　７月２０日出願公開、特開平　１−１８２８９０、平成　８年　３月２７日出願公告、特公平　８−　３０９５１］について、次のとおり審決する。
【結　論】
　本件審判の請求は、成り立たない。
【理　由】
［手続の経緯］
  本願は、昭和６３年０１月１４日の出願であって、原審において出願公告されたところ、複数の特許異議の申立があり、小野省一の異議申立が理由があるものと決定され、その決定の理由によって拒絶査定されたものである。
［本願発明の認定］
　本願の請求項１に係る発明は、出願公告された明細書と図面および当審において平成１１年０２月１５日付けで提出された手続補正書の記載からみて、その特許請求の範囲の請求項１に記載された次のとおりのものである。
　請求項１
「楽曲の進行に従って楽音の発生を制御するための演奏データであって、発生する楽音の音高を示すキーデータと発生する楽音の態様を制御する制御データとを含む演奏データを、記憶する演奏データメモリ手段と、
　楽音の進行に従って、順次入力される入力演奏データのキーデータと制御データを上記演奏データメモリ手段に記憶させる入力演奏データ記録手段と、
　前記演奏データメモリ手段に記録された演奏データを順次再生する演奏データ再生手段と、
　前記演奏データ再生手段による演奏データの再生中に前記入力演奏データとしてキーデータが発生されたとき、前記演奏データ再生手段による演奏データの再生を前記入力演奏データ記録手段による入力演奏データの記録に切り換えて、前記演奏データメモリ手段に記憶されている演奏データのうちすでに再生された演奏データ以降の演奏データを無効とし、新たに発生される演奏データによって書き換える制御手段と、
を具備することを特徴とする自動演奏記録再生装置。」
［引用例］
　原査定の拒絶の理由となった特許異議の決定において、甲第１号証刊行物として引用された特開昭５７−１２０９９４号公報（以下、引用例という）の第２図とその説明には、以下の通り記載されている。
「第２図は第１図の電子楽器の演奏機能を有する部分のブロック図である。キーマトリックス６は前述の各種キー１，２，４，５，１３を含む。マイクロプロセッサ７は、端子０３〜０８からキーマトリックス６にストローブ信号を出力する。それに応じてキーマトリックス６の端子ＫＥＹ、３Ｗからのキーリターン信号を端子Ｋ１〜Ｋ５およびＫ６から読み込むことにより、キー読み込みが行われる。表示部３は、液晶表示素子から成り、マイクロプロセッサ７の端子Ｈ１〜Ｈ３からバックプレート信号が入力され、また３３本のセグメント出力端子ａ１，ｂ１，ｃ１〜ａ１１，ｂ１１，ｃ１１からセグメント信号が入力される。外部メモリ８の入力端子Ａ０〜Ａ７には、マイクロプロセッサ７の出力端子Ｂ１〜Ｂ８からアドレス信号が入力される。また、マイクロプロセッサ７の端子Ｄ１０１〜Ｄ１０４、ならびに外部メモリ８の端子Ｄ１１〜Ｄ１４およびＤ０１〜Ｄ０４相互間ではデータ信号が相互に出力または入力される。チップセレクト信号は、マイクロプロセッサ７の端子Ｆ１から外部メモリ８の端子ＣＥに入力され、またリードライト信号はマイクロプロセッサ７の端子Ｒ／Ｗから外部メモリ８の端子Ｒ／Ｗに入力される。
　なお、マイクロプロセッサ７の端子ＶＤＤ、ＣＮＤ間には電池９が接続され、端子Ｘ１、Ｘ２間には水晶発振子１０が接続され、端子Ｒ１，Ｒ２間にはクロックジェネレータＣＧ１（第３図参照）を発振させるための抵抗１１が接続される。さらに、端子０１，０２間には、発音体１２が接続されており、端子０１，０２から出力される音階信号によって発音体１２が振動して音が鳴らされる。」（第２頁左上欄第１７行〜左下欄第９行）
これによれば、演奏データを記憶する演奏データメモリ手段（外部メモリ８）と、楽音の進行に従って、順次入力される入力演奏データを上記演奏データメモリ手段に記憶させる入力演奏データ記録手段（マイクロプロセッサ７）と、前記演奏データメモリ手段に記録された演奏データを順次再生する演奏データ再生手段（マイクロプロセッサ７、発音体１２）とを具備する電子楽器が記載されていることは明らかである。
　さらに、第５図（１）（２）とその説明には、以下の記載がある。
「次いで、再生途中において、音の高さを修正する場合の手順について説明する。先ず、音が出力されていないときに音階キー１によって正しい音を入力する場合には、ステップｍ３５からステップｍ３７に進み、さらにステップｍ３８においてポインタが１つだけアップされる。それによって、第５図（１）で示したステップｍ５に移り、前述のごとく押圧した音階キー１に対応する音階コードがランダムアクセスメモリＲＡＭに記憶される。次いで、ステップｍ６〜ｍ８と進行し、音階キー１が押されている時間すなわち音長データがステップｍ９においてランダムアクセスメモリＲＡＭのバッファに転送される。その後で制御キー４を押すことによって、曲の続きが再生される。すなわち、ステップｍ１０→ｍ１１→ｍ１６→ｍ４２→ｍ４３と経過することにより、修正のための音階キー１を離してから制御キー４を押すまでの時間（休止長）がランダムアクセスメモリ８のバッファに入力される。さらに、ステップｍ４４で各音データが外部メモリ８に転送された後、ステップｍ４５において曲の続きを再生するためにポインタを１つだけアップし、次いでステップｍ２５に戻って再生処理が続行される。」（第４頁右上欄第１７行〜左下欄第１９行）
この記載によれば、電子楽器の制御手段（マイクロプロセッサ７）の動作として、前記演奏データの再生中（Ｃ−ｍ２５−ｍ２６−ｍ２７・・・ｍ３４−ｍ３５−ｍ３６−Ｃ）に前記入力演奏データとしてキーデータが発生されたとき（ｍ４０，ｍ３７）、前記演奏データの再生を前記入力演奏データの記録に切り換えて（ｍ３８−Ａ−Ａ−ｍ５−・・・ｍ１５−Ａ）、前記演奏データメモリ手段に記憶されている演奏データのうちすでに再生された演奏データ以降の演奏データを無効として新たに発生される演奏データによって書き換え、その後、制御キーの押圧により再び演奏データの再生にもどす（ｍ４２−・・Ｃ）ことが記載されているといえる。
［対比］
　本願請求項１に係る発明と引用例に記載されたものとを比較すると、両者は、楽曲の進行に従って発生する楽音の音高を示すキーデータを含む演奏データを記憶する演奏データメモリ手段と、楽音の進行に従って順次入力される入力演奏データのキーデータを上記演奏データメモリ手段に記憶させる入力演奏データ記録手段と、前記演奏データメモリ手段に記録された演奏データを順次再生する演奏データ再生手段と、前記演奏データ再生手段による演奏データの再生中に前記入力演奏データとしてキーデータが発生されたとき、前記演奏データ再生手段による演奏データの再生を前記入力演奏データ記録手段による入力演奏データの記録に切り換えて、前記演奏データメモリ手段に記憶されている演奏データのうちすでに再生された演奏データ以降の演奏データを無効とし、新たに発生される演奏データによって書き換える制御手段とを具備する自動演奏記録再生装置である点で一致する。
　そして、前記演奏データが、本願請求項１では、「発生する楽音の音高を示すキーデータと発生する楽音の態様を制御する制御データとを含む」のに対し、引用例では、前記キーデータを当然に含むものの前記制御データを含むという記載がない点で相違する。
［当審の判断］
　自動演奏記録再生装置において、記録再生される演奏データとして、楽音の音高を示すキーデータのほか音色データ，音量データなどの制御データをも含ませることは周知であるので（例えば実願昭５４−８３７２３号（実開昭５６−３５８７号）のマイクロフィルム参照）、前記相違点とした本願請求項１の構成は容易に採用できたものである。
　なお、本願請求項１の発明は、演奏データとして、音高を示すキーデータのほか制御データをも含みながら、演奏データの再生から入力演奏データの記録への切り換えにキーデータの発生を利用しているものであるが、キーデータは演奏データの主体をなすものであってタイミングデータとして普通に利用されているものであり、引用例においても前記したように再生から記録への切り換えにキーデータの発生を利用しているので、その点にはなんら困難はないものである。
［むすび］
  したがって、本願請求項１に係る発明は、引用例に記載された発明に基づいて容易に発明をすることができたものと認められるから、特許法第２９条第２項の規定により特許をうけることができない。
　よって、結論のとおり審決する。